(57)【要約】【課題】  複数倍幅の広い矩形連続孔を一挙に掘削することのできる広幅矩形連続孔掘削作業機を提供する。【解決手段】  地上に起立された支持部材に回転駆動装置を昇降自在に支持し、左右方向に１列に並列した複数本の掘削作業ロッドを前後方向に複数列配列した状態で、各掘削作業ロッドを上記回転駆動装置に回転伝達可能に接続して垂下し、  上記各掘削作業ロッドに、該ロッドの外周を囲み且つ３角カッターを放射状に突出するルーロー機構に基づく矩形孔掘削装置を１個又は複数個備えた、広幅矩形連続孔掘削作業機。【選択図】    図１
2007247208.tif 000002
【特許請求の範囲】
【請求項１】
地上に起立された支持部材に回転駆動装置を昇降自在に支持し、左右方向に１列に並列した複数本の掘削作業ロッドを前後方向に複数列配列した状態で、各掘削作業ロッドを上記回転駆動装置に回転伝達可能に接続して垂下し、
上記各掘削作業ロッドに、該ロッドの外周を囲み且つ３角カッターを放射状に突出するルーロー機構に基づく矩形孔掘削装置を１個又は複数個備え、
上記矩形孔掘削装置は、
上記掘削作業ロッドの外周面に固定された太陽歯車と、
上記太陽歯車を同心的に囲む内歯歯車であって、隣りの掘削作業ロッドの内歯歯車と連結された固定内歯歯車と、
上記３角カッターを放射状に突出する歯車であって、上記太陽歯車と内接してかみ合い、上記固定内歯歯車と外接してかみ合う中間歯車と、
各部の寸法がルーロー機構の原理によりそれぞれ定められていることと、から構成される、
広幅矩形連続孔掘削作業機。
【請求項２】
地上に起立された支持部材に回転駆動装置を昇降自在に支持し、左右方向に１列に並列した複数本の掘削作業ロッドを前後方向に複数列配列した状態で、各掘削作業ロッドを上記回転駆動装置に回転伝達可能に接続して垂下し、
上記各掘削作業ロッドのうち、左右方向のいずれかの外端に位置する複数本のロッドには、通常の掘削ヘッドのみをロッド下端に設け、他の残りのロッドに、該ロッドの外周を囲み且つ３角カッターを放射状に突出するルーロー機構に基づく矩形孔掘削装置を１個又は複数個備え、
上記矩形孔掘削装置は、
上記掘削作業ロッドの外周面に固定された太陽歯車と、
上記太陽歯車を同心的に囲む内歯歯車であって、隣りの掘削作業ロッドの内歯歯車と連結された固定内歯歯車と、
上記３角カッターを放射状に突出する歯車であって、上記太陽歯車と内接してかみ合い、上記固定内歯歯車と外接してかみ合う中間歯車と、
各部の寸法がルーロー機構の原理によりそれぞれ定められていることと、から構成される、
広幅矩形連続孔掘削作業機。
【請求項３】
上記矩形孔掘削装置を備えた各掘削作業ロッドの最下端に掘削ヘッドを設け、
上記矩形孔掘削装置による矩形孔の一辺を上記掘削ヘッドの掘削径以上の長さとした、
請求項１又は２に記載の広幅矩形連続孔掘削作業機。
【発明の詳細な説明】
【技術分野】
【０００１】
本願発明は、止水壁、土留壁等の地中連続壁の掘削造成又は地盤改良、その他種々の用途に使用される掘削ロッド、掘削撹拌ロッド、掘削スクリューロッド等の掘削作業ロッドの複数本に、ルーロー機構の３角カッターつき矩形孔掘削装置を取りつけてなる多軸式矩形連続孔掘削作業機の改良に関する。
【背景技術】
【０００２】
従来、例えば止水壁等の地中連続壁の掘削造成に、マストに昇降自在に支持された回転駆動装置の出力軸に、下端に通常の掘削ヘッドを有する３本の掘削撹拌ロッドを左右方向に一列に並列した状態でそれぞれ接続して垂下してなる３軸円形連続孔掘削撹拌機が広く使用されている。
【０００３】
しかし、上記の従来機による地中連続壁の掘削造成においては、３本の円形縦孔を隣り同志一部ラップさせて掘削しつつ、セメントミルクを注入してソイルセメント円柱の連続柱列を形成するものであるため、隣り合うソイルセメント円柱同志の接円部に、円柱全長にわたるクビレが形成され、これが地中連続壁の止水性を害う欠点となるばかりでなく、地中連続壁内にＨ形鋼等の芯材を建込む場合、各芯材を円形縦孔の位置に建込まなければならない施工上の制限を受ける難点があった。
【０００４】
これを改善するため、本発明者等は、さきに、マストに昇降自在に支持された回転駆動装置に、複数本の掘削作業ロッドを左右方向に１列に並列した状態でそれぞれ接続して垂下し、これら掘削作業ロッドに、３角カッターを放射状に突出するルーロー機構に基づく矩形孔掘削装置をそれぞれ取りつけた矩形連続孔掘削作業機を提案し、それによれば、各掘削作業ロッドの３角カッターにより一部ラップして矩形縦孔を掘削することによりクビレの無い矩形連続孔の掘削を可能にしたのである（出願中、特願2005−260508）。
【発明の開示】
【発明が解決しようとする課題】
【０００５】
本願第１発明は、さきに提案したルーロー機構に基づく矩形連続孔掘削作業機をさらに改良し、それよりも複数倍幅の広い矩形連続孔を一挙に掘削することのできる広幅矩形連続孔掘削作業機を提供することを課題とする。
【０００６】
本願第２発明は、上記第１発明の課題に加え、掘削時における連続孔内での掘削土砂の搬送、移動を維持すると共に、装置の価格低減を可能にする広幅矩形連続孔掘削作業機を提供することを課題とする。
【０００７】
本願第３発明は、上記第１発明又は第２発明の課題に加え、上記各掘削作業ロッドの３角カッターによる矩形縦孔掘削を容易化することのできる広幅矩形連続孔掘削作業機を提供することを課題とする。
【課題を解決するための手段】
【０００８】
上記課題を解決する手段として、本願第１発明は、
地上に起立された支持部材に回転駆動装置を昇降自在に支持し、左右方向に１列に並列した複数本の掘削作業ロッドを前後方向に複数列配列した状態で、各掘削作業ロッドを上記回転駆動装置に回転伝達可能に接続して垂下し、
上記各掘削作業ロッドに、該ロッドの外周を囲み且つ３角カッターを放射状に突出するルーロー機構に基づく矩形孔掘削装置を１個又は複数個備え、
上記矩形孔掘削装置は、
上記掘削作業ロッドの外周面に固定された太陽歯車と、
上記太陽歯車を同心的に囲む内歯歯車であって、隣りの掘削作業ロッドの内歯歯車と連結された固定内歯歯車と、
上記３角カッターを放射状に突出する歯車であって、上記太陽歯車と内接してかみ合い、上記固定内歯歯車と外接してかみ合う中間歯車と、
各部の寸法がルーロー機構の原理によりそれぞれ定められていることと、から構成される、
広幅矩形連続孔掘削作業機を提案する。
【０００９】
本願第２発明は、
地上に起立された支持部材に回転駆動装置を昇降自在に支持し、左右方向に１列に並列した複数本の掘削作業ロッドを前後方向に複数列配列した状態で、各掘削作業ロッドを上記回転駆動装置に回転伝達可能に接続して垂下し、
上記各掘削作業ロッドのうち、左右方向のいずれかの外端に位置する複数本のロッドには、通常の掘削ヘッドのみをロッド下端に設け、他の残りのロッドに、該ロッドの外周を囲み且つ３角カッターを放射状に突出するルーロー機構に基づく矩形孔掘削装置を１個又は複数個備え、
上記矩形孔掘削装置は、
上記掘削作業ロッドの外周面に固定された太陽歯車と、
上記太陽歯車を同心的に囲む内歯歯車であって、隣りの掘削作業ロッドの内歯歯車と連結された固定内歯歯車と、
上記３角カッターを放射状に突出する歯車であって、上記太陽歯車と内接してかみ合い、上記固定内歯歯車と外接してかみ合う中間歯車と、
各部の寸法がルーロー機構の原理によりそれぞれ定められていることと、から構成される、
広幅矩形連続孔掘削作業機を提案する。
【００１０】
本願第３発明は、
上記第１発明又は第２発明における矩形孔掘削装置を備えた各掘削作業ロッドの最下端に掘削ヘッドを設け、
上記矩形孔掘削装置による矩形孔の一辺を上記掘削ヘッドの掘削径以上の長さとした、
広幅矩形連続孔掘削作業機を提案する。
【発明の効果】
【００１１】
本願第１発明によれば、左右方向に１列に並列した複数本の掘削作業ロッドを、さらに前後方向に複数列配列し、各掘削作業ロッドにルーロー式の３角カッターつき矩形孔掘削装置を装備したから、従来機により掘削される矩形連続孔よりも複数倍幅の広い矩形連続孔を一挙に掘削することができ、従って本機を地中連続壁の掘削造成に使用した場合は、厚さの大きい強固な地中連続壁を能率的に形成でき、又地盤改良に使用した場合は、広い面積の地盤、大量の地盤を能率的に改良することができるのである。
【００１２】
本願第２発明によれば、上記第１発明の効果に加え、多数本の掘削作業ロッドのうち外側に位置する複数本のロッドに３角カッターつき矩形孔掘削装置を取りつけないから、掘削時にその複数本のロッドと縦孔内壁面との間に縦孔全長にわたって広いスペースを保持し、該スペースを通じて掘削土砂の搬送、移動を活発に行い、それに伴って他の掘削作業ロッドがわにある掘削土砂の一部を外側ロッドがわへ誘引し、全体として掘削土砂の搬送、移動を維持することができる。又本発明によれば、高価な矩形孔掘削装置を一部節減し、本機を低価格で提供できる利点もある。
【００１３】
本願第３発明によれば、第１発明又は第２発明の効果に加え、各掘削作業ロッドにおいて、先ず最下端の通常の掘削ヘッドにより円形縦孔を掘削し、ついでルーロー式３角カッターにより上記円形縦孔内から外側へ矩形に掘り拡げて矩形縦孔を形成していくから、３角カッターに加わる負荷が少くてすみ、それにより所期の矩形縦孔を容易に掘削することができる。
【発明を実施するための最良の形態】
【００１４】
本願各発明における「３角カッター」とは、回転方向に対し直角をなし、又は適宜角度で傾斜する翼、羽根、板等からなる３枚のカッターが上記中間歯車の中心から等角度間隔をあけて放射状に突出するものである。又、上記太陽歯車の中心及び中間歯車の中心を通る直線上に、３角カッターの１枚の羽根が位置するとき、上記直線が正方形掘削孔の一辺と平行関係にある。
【実施例】
【００１５】
第１発明の実施例
図１は、土留壁掘削造成用の矩形連続孔掘削撹拌機に実施した例で、ベースマシン（１）の前端部に垂直に起立支持されたマスト（２）の前側面に案内レール（３）、（３）を敷設し、該案内レール（３）、（３）に回転駆動装置（４）を上下摺動自在に係合すると共に、トップシーブ（５）から垂下された巻き上げワイヤロープ（６）により昇降自在に吊支し、この回転駆動装置（４）に内装されたモータから減速機を介してそれぞれ回転が伝達される出力軸、すなわち本例で左右方向に１列に並列する３本の出力軸（７）‥をさらに前後方向に２列配列した計６本の出力軸（７）…を駆動装置（４）下面から突出し、これら出力軸（７）…に、ルーロー機構に基づく３角カッターつき矩形孔掘削装置を備える掘削撹拌ロッド（８）…を、互に平行状態で、各ロッド上端部においてそれぞれ接続してある。
【００１６】
上記掘削撹拌ロッド（８）…は、各ロッド下端に、３角掘削ヘッド（１０）…を有する矩形孔掘削装置（９）…をそれぞれ備え、その上方に３角カッター（１２）、（１２）、…を有する２組の矩形孔掘削装置（１１）、（１１）、…をそれぞれ適宜の上下間隔をあけて順次備え、さらに、それら矩形孔掘削装置（９）、（１１）、（１１）、…の間のロッド外周面に撹拌羽根（１３）…（１３）…、…をそれぞれ突設してある。
【００１７】
まず、上記１組の矩形孔掘削装置（１１）について詳述する。図２、３、４、５における最左端の装置（１１）についてみると、上端面中心にボス（１５）を有する下端開口の円筒状ケーシング（１４）を、該ボス（１５）において掘削撹拌ロッド（８）に対し同心的に、ベアリング（１６）、（１６）を介して回転自在に被嵌し、このケーシング（１４）内において、上記ロッド（８）の外周面に太陽歯車（１７）を固定すると共に、上記円筒状ケーシング（１４）の内周面に、内歯歯車（１８）を上記太陽歯車（１７）と同心的位置関係で形成し、その際上記ケーシング（１４）を、隣りのロッド（８）、（８）に同様に回転自在に被嵌されたケーシング（１４）、（１４）と、図４、５に示すようにアーム（２１）、（２１）のフランジ継手により連結して固定し、それにより上記内歯歯車（１８）を固定内歯歯車とし、さらに上記ロッド（８）より大径で、上記ケーシング（１４）より小径の円筒体（２０）を用意し、その上部内周面に形成された内歯と、その上部外周面に形成された外歯とで環状の内外歯つき中間歯車（１９）を形成し、この環状中間歯車（１９）を、その内歯により太陽歯車（１７）に内接状態でかみ合わせると共に、その外歯により固定内歯歯車（１８）と外接状態でかみ合わせてある。
【００１８】
上記中間歯車（１９）のかみ合い状態を保持するため、上記円筒体（２０）の上下両端部内周面とロッド（８）の外周面との間に、特に図５及び図３に示すように、円板であって、その中心から適宜偏心位置に軸孔（２４）、（２５）を有する偏心案内板（２２）、（２３）を、その軸孔（２４）、（２５）を上記ロッド（８）に被嵌し、その外周面を上記円筒体（２０）内周面に嵌合した状態で、それぞれ回転自在に係合してある。
【００１９】
さらに、上記円筒体（２０）の中間部外周面と上記ケーシング（１４）の内周面との間には、図３に示すように円板であって、その中心から適宜偏心位置に軸孔（２７）を有する偏心案内板（２６）を、その軸孔（２７）を上記円筒体（２０）に被嵌し、その外周面を上記ケーシング（１４）内周面に嵌合した状態で、回転自在に係合してある。
【００２０】
上記のように係合支持された円筒体（２０）の下端部外周面に、３角カッター（１２）の３枚の羽根を互に１２０度の角度間隔をあけて放射状に突設してある。その場合３角カッター（１２）の１枚の羽根を、円筒体（２０）の中心から偏心軸孔（２５）の中心（すなわちロッド（８）の中心）を通る線上に位置させ、これを正方形掘削孔の一辺と平行させる。
【００２１】
上記のような構成において、ルーロー機構の原則に基づく各部の寸法は次のようである。
掘削すべき正方形孔の一辺＝ａ
掘削撹拌ロッド（８）の中心に対する円筒体（２０）中心の偏心量＝ｒ（図３）
とすると、ｒ≦（１／√３−０．５）ａ＝０．０７７４ａとして、
３角カッター（１２）の各羽根の長さ＝０．５ａ＋ｒ
太陽歯車（１７）の直径＜０．３ａ
中間歯車（１９）の直径＝６ｒ
固定内歯歯車（１８）の直径＝４／３中間歯車の直径＝８ｒ
このようにすれば、ルーロー機構の原理に従い、３角カッター（１２）が自転を１回する間に逆方向に公転を３回することになる。
【００２２】
上記左右方向の３本を前後２列に配列した掘削撹拌ロッド（８）‥及び（８）‥における左右外側のロッド（８）、（８）及び（８）、（８）の矩形孔掘削装置（１１）、（１１）及び（１１）、（１１）は全く同一構造である。中間のロッド（８）及び（８）の装置（１１）及び（１１）も実質的に同一であるが、上記外側の装置（１１）、（１１）及び（１１）、（１１）の構造を１８０度回転させた対称構造とし、又３角カッター（１２）及び（１２）を外側ロッドのそれよりも若干下に段違いに位置させている。さらに、後列の装置（１１）‥の３角カッター（１２）‥を前列の装置（１１）‥のそれよりも若干下に段違い位置させている。
【００２３】
次に、ロッド（８）…下端に備えた矩形孔掘削装置（９）…は、図６に示すように上記装置（１１）…と実質的には同一であるが、掘削撹拌ロッド（８）…をケーシング（１４）内から下方へ突出させず、それに代えて、円筒体（２０）…の開口下端を端板（２８）により閉塞し、該端板（２８）…の中心位置にヘッドロッド（２９）…を突設し、各ヘッドロッド（２９）…に、ルーロー回転を行う３枚羽根の３角掘削ヘッド（１０）…をそれぞれ放射状に突設してある。３角掘削ヘッド（１０）…相互の上下位置関係は、上記３角カッター（１２）…の相互関係と同様である。
【００２４】
上記各３角カッター（１２）…及び３角掘削ヘッド（１０）…は、左右隣り合う同志及び前後隣り合う同志を上からみて若干ラップする配置としてある。又、各掘削撹拌ロッド（８）…の回転方向は、前後２列のロッドにおいて左右外側のロッド（８）、（８）及び（８）、（８）が正転、中間ロッド（８）及び（８）が逆転である。
【００２５】
なお、掘削撹拌ロッド（８）…内に縦通されたセメントミルク等の固化液供給管は、上記下段の装置（９）…のやや上部においてロッド（８）…外へ引き出し、該引出し供給管（３０）…を上記装置（９）…に沿って３角掘削ヘッド（１０）…側へ延長してある。
【００２６】
上例の作用は次のようである。回転駆動装置（４）の始動により掘削撹拌ロッド（８）…を回転させると、各ロッド（８）…の下端の３角掘削ヘッド（１０）…及びその上位の３角カッター（１２）…、（１２）…が自転しつつ公転を開始する。
【００２７】
そこで、下端の３角掘削ヘッド（１０）…により地盤に掘削を開始すると、図３仮想線で示すように、互に左右隣り同志一部ラップした３本のほぼ正方形縦孔（Ｐ）‥の連なった長方形縦孔の前後２本がさらに前後隣り同志一部ラップして前後にも連なって広幅の長方形縦孔を掘削し、それと共に供給管（３０）…よりセメントミルクを注入し、ついで次の撹拌羽根（１３）…により掘削土砂を撹拌すると共に、撹拌土砂とセメントミルクを混合してソイルセメントを形成する。
【００２８】
さらに、次の３角カッター（１２）…の回転により、上記３角掘削ヘッド（１０）…によるほぼ正方形縦孔（Ｐ）…内を同じく矩形掘削して修正していき、以下同様に次の撹拌羽根（１３）…による撹拌混合、ついで次の３角カッター（１２）…による修正矩形掘削を行い、最終的に図３に仮想線で示す左右３本の正方形縦孔（Ｐ）‥が前後２列連なった広幅の矩形連続孔（Ｒ）を掘削し、その内部にソイルセメントからなる広幅の地中連続壁を造成する。
【００２９】
第２発明の実施例
図７の実施例は、上記図１、６において下端部の矩形孔掘削装置（９）…及び３角掘削ヘッド（１０）…を除き、それに代えてロッド下端にヘッドロッド（３１ａ）…を接続し、該ヘッドロッド下端部に通常の掘削ヘッド（３２ａ）…をそれぞれ設け、さらに右外端に位置する掘削撹拌ロッド（８ａ）、（８ａ）から矩形孔掘削装置を除き、他の構造は図１〜６と実質的に同一である。
【００３０】
なお、３角カッター（１２ａ）…の掘削する正方形孔の一辺は、本例では掘削ヘッド（３２ａ）…の掘削径より若干長くしてある。
【００３１】
セメントミルク等の固化液の供給管は、掘削撹拌ロッド（８ａ）…ついでヘッドロッド（３１ａ）…に縦通し、ヘッドロッド下端に吐出口を設けてある。
【００３２】
本例の広幅矩形連続孔掘削撹拌機を用いて地中連続壁を形成する場合は、一例として同図（ロ）に示すように、１回目の掘削では、右外側の掘削撹拌ロッド（８ａ）、（８ａ）による円形縦孔（Ｑａ）、（Ｑａ）と、中間及び左外側のロッド（８ａ）（８ａ）、（８ａ）（８ａ）によるほぼ正方形連続縦孔（Ｐａ）（Ｐａ）、（Ｐａ）（Ｐａ）とで互に左右、前後一部ラップした広幅矩形連続孔（Ｒａ）を掘削し、次に２回目の掘削で、左外側のロッド（８ａ）、（８ａ）を、１回目の右外側の円形縦孔（Ｑａ）、（Ｑａ）に重複挿入して広幅連続孔（Ｒａ）を掘削し、次に３回目の掘削で、同様に左外側のロッド（８ａ）、（８ａ）を２回目の右外側の円形縦孔（Ｑａ）、（Ｑａ）に重複挿入して広幅連続孔（Ｒａ）を掘削する方法をとる。
【００３３】
上記方法によれば、２回目、３回目の掘削において、前回の円形縦孔（Ｑａ）内に３角カッター（１２ａ）を有するロッド（８ａ）が重複挿入され、３角カッター（１２ａ）によりほぼ正方形縦孔（Ｐａ）に拡大掘削していくから、各ロッド（８ａ）…がともに垂直掘進を行い易い。
【００３４】
本例による各回の掘削において、前後列の右外側ロッド（８ａ）、（８ａ）に矩形孔掘削装置（１１ａ）を設けないから、それらのロッド（８ａ）、（８ａ）と円形縦孔（Ｑａ）、（Ｑａ）の内壁面との間に広いスペースを保持し、それにより撹拌時に掘削土砂の上下移動を活発に行い、それに伴って他のロッド（８ａ）…がわにある掘削土砂の一部を右外側ロッド（８ａ）、（８ａ）がわへ誘引し、全体として掘削土砂の上下移動を促進する。
【００３５】
上記掘削撹拌ロッド（８ａ）…に代え、連続らせん羽根を備える掘削スクリューロッドを使用した場合は、右外側ロッドのスクリューによる掘削土砂の活発な上方搬送が、他のロッドがわの掘削土砂の一部を右外側ロッドがわへ誘引する。
【００３６】
（３３ａ）…は上記ロッド（８ａ）…にそれぞれ回転自在に被嵌されたリングで、左右隣り合うリング及び前後隣り合うリングをそれぞれアーム（３４ａ）…で連結してロッド間隔を保持している。
【００３７】
第３発明の実施例
図８に示す例は、掘削撹拌ロッド（８ｂ）…が、上記図１の掘削撹拌ロッド（８）…から下端部の矩形孔掘削装置（９）…及び３角掘削ヘッド（１０）…を除き、それに代えてロッド下端にヘッドロッド（３１ｂ）…を接続すると共に該ヘッドロッド（３１ｂ）…下端部に通常の掘削ヘッド（３２ｂ）…をそれぞれ設けた例である。他の構造は図１〜６と実質的に同一である。
【００３８】
本例における、３角カッター（１２ｂ）…の掘削するほぼ正方形縦孔（Ｐｂ）の一辺は上記掘削ヘッド（３２ｂ）の掘削径以上であるが、本例では掘削径と等しくしてある。
【００３９】
本例によれば、最下端の掘削ヘッド（３２ｂ）…により円形縦孔（Ｑｂ）…を掘削した後３角カッター（１２ｂ）…によりほぼ正方形孔を拡大掘削するから、３角カッター（１２ｂ）…に負荷が少くてすむ。
【図面の簡単な説明】
【００４０】
【図１】（イ）本願第１発明による広幅矩形連続孔掘削作業機の正面図である。            （ロ）同上側面図である。
【図２】図１における矩形孔掘削装置部分の拡大縦断正面図である。
【図３】図２のＩＩＩ−ＩＩＩ線断面図である。
【図４】図２のＩＶ−ＩＶ線一部省略断面図である。
【図５】図２のＶ−Ｖ線一部省略断面図である。
【図６】３角掘削ヘッド及びその矩形孔掘削装置部分の一部縦断正面図である。
【図７】（イ）本願第２発明による広幅矩形連続孔掘削作業機の一部省略拡大正面図である。                                                                            （ロ）広幅矩形連続孔掘削方法を示す略線平面図である。
【図８】本願第３発明による広幅矩形連続孔掘削作業機の一部省略拡大正面図である。
【符号の説明】
【００４１】
２  マスト
４  回転駆動装置
８、８ａ、８ｂ  掘削撹拌ロッド
９、１１、１１ａ、１１ｂ  矩形孔掘削装置
１０  ３角掘削ヘッド
１２、１２ａ、１２ｂ  ３角カッター
１７  太陽歯車
１８  固定内歯歯車
１９  中間歯車
３２ａ、３２ｂ  掘削ヘッド
【図１】
2007247208.tif 000003
【図２】
2007247208.tif 000004
【図３】
2007247208.tif 000005
【図４】
2007247208.tif 000006
【図５】
2007247208.tif 000007
【図６】
2007247208.tif 000008
【図７】
2007247208.tif 000009
【図８】
2007247208.tif 000010